(57)【特許請求の範囲】
【請求項１】
上端に第一連結部が形成された複数の支柱と、
互いに対向する前記支柱の間を横方向に架け渡される棒状の横架部、及び該横架部の両端から垂下された第二連結部を有する支持手段と、
少なくとも下端が開放され前記第一連結部が下方から挿入される第一孔部、及び上端が開放され前記第二連結部が上方から挿入される第二孔部が穿設された連結手段とを具備し、
前記支柱及び前記支持手段と分離可能に形成された前記連結手段は、
前記第一孔部を中心として前記第一孔部の周囲に９０°の位置間隔で配設され、一つは円形の内面形状を呈し、残りは前記第二連結部の多角形の外面形状に相似した内面形状を呈して形成された複数の前記第二孔部を有し、
前記第二連結部を円形の内面形状を呈する前記第二孔部に上方から挿入し、前記支持手段を前記第二連結部が挿入された前記第二孔部を軸として回動させ得るように前記第二連結部及び前記第二孔部を構成したことを特徴とする組立式架台。
【請求項２】
前記支柱の下端に第三連結部が形成され、
前記第一孔部の延長線上に、上端が開放され前記第三連結部が上方から挿入される第三孔部が穿設されていることを特徴とする請求項１に記載の組立式架台。
【請求項３】
平行して配設された二本の支持手段に載架され、外方向に折曲げられた一対の爪部を裏面に有し、前記支持手段に対して９０°回転させることにより、前記爪部と前記裏面との間に前記支持手段の前記横架部を挿入させて係止させる載架台をさらに備えることを特徴とする請求項１または請求項２に記載の組立式架台。
【発明の詳細な説明】
【０００１】
【発明の属する技術分野】
本発明は、組立式架台に関するものであり、特に、プランターや植木鉢を載置するために用いられる組立式架台に関するものである。
【０００２】
【従来の技術】
従来から、プランターや植木鉢などを載置するための組立式の架台が利用されている。例えば、複数の棒状部材と取り付け部材とにより架台を任意の形状に組立て、その上に植木鉢を保持する植木鉢ホルダを設けたもの（登実第３０５７０３３号公報）などがある。
【０００３】
【発明が解決しようとする課題】
しかしながら、複数の棒状部材と取り付け部材とにより組立てられる架台は、取り付け部材に棒状部材を上下または横方向から挿入して組立てられていた。この際、取り付け部材と棒状部材との隙間は、抜けにくくするために小さく設定されていた。そのため、かなり強い力で棒状部材を挿入する必要があり、女性や子供では組立てることが困難であった。尚、取り付け部材と棒状部材とを固定するためにビスなどの締結手段を備えることも考えられるが、この場合には、組立作業が面倒になるとともに工具等が必要となることから、使用者の負担が大きくなり好ましくない。
【０００４】
また、上記の架台は、略直方体を組合わせて構成されていることから、複数の架台をつなげて設置するときには、互いの架台を９０°または１８０°の相対角度でしか並べることができないため、設置場所に合わせた配置が難しかった。
【０００５】
そこで本発明は、上記実情に鑑み、種々の形状や高さに組立てることが容易で、複数の架台を並べたときの相対角度を変えて配置することが可能な組立式架台の提供を課題とするものである。
【０００６】
【課題を解決するための手段】
上記の課題を解決するため、請求項１の発明にかかる組立式架台は、上端に第一連結部が形成された複数の支柱と、互いに対向する前記支柱の間を横方向に架け渡される棒状の横架部、及び該横架部の両端から垂下された第二連結部を有する支持手段と、少なくとも下端が開放され前記第一連結部が下方から挿入される第一孔部、及び上端が開放され前記第二連結部が上方から挿入される第二孔部が穿設された連結手段とを具備し、前記支柱及び前記支持手段と分離可能に形成された前記連結手段は、前記第一孔部を中心として前記第一孔部の周囲に９０°の位置間隔で配設され、一つは円形の内面形状を呈し、残りは前記第二連結部の多角形の外面形状に相似した内面形状を呈して形成された複数の前記第二孔部を有し、前記第二連結部を円形の内面形状を呈する前記第二孔部に上方から挿入し、前記支持手段を前記第二連結部が挿入された前記第二孔部を軸として回動させ得るように前記第二連結部及び前記第二孔部を構成したものである。
【０００７】
したがって、請求項１の発明の組立式架台によれば、連結手段の第一孔部に支柱の第一連結部が下方から挿入されると、支柱と連結手段とが連結する。一方、連結手段の第二孔部に支持手段の第二連結部が上方から挿入されると、支持手段と連結手段とが連結する。これにより、支柱と支持手段とが連結手段を介し連結される。ここで、第二連結部は横架部の両端から垂下されているため、横架部は支柱に対して直角を保ちながら、連結される。そして、連結手段は、第一孔部を中心として第一孔部の周囲に９０°の位置間隔で配設され、一つの円形の内面形状を呈し、残りは前記第二連結部の多角形の外面形状に相似した内面形状を呈して形成された複数の第二孔部を有するため、第二連結部を円形の内面形状を呈する第二孔部に上方から挿入し、支持手段を第二連結部が挿入された第二孔部を軸として回動することが可能となる。一方、第二連結部の外面形状に相似した内面形状を呈する第二孔部に該第二連結部が上方から挿入されると支持手段の回動が抑制される。
【０００８】
請求項２の発明にかかる組立式架台は、請求項１に記載の組立式架台において、前記支柱の下端に第三連結部が形成され、前記第一孔部の延長線上に、上端が開放され前記第三連結部が上方から挿入される第三孔部が穿設されているものである。
【０００９】
したがって、請求項２の発明の組立式架台によれば、請求項１の発明の組立式架台の作用に加え、支柱の下端の第三連結部が、連結手段の第三孔部に上方から挿入される。これにより、複数の支柱が連結手段を介して、鉛直方向に連結され、架台の高さが変化する。
【００１４】
請求項３の発明にかかる組立式架台は、請求項１または請求項２に記載の組立式架台において、平行して配設された二本の支持手段に載架され、外方向に折曲げられた一対の爪部を裏面に有し、前記支持手段に対して９０°回転させることにより、前記爪部と前記裏面との間に前記支持手段の前記横架部を挿入させて係止させる載架台をさらに備えるものである。
【００１５】
したがって、請求項３の発明の組立式架台によれば、請求項１または請求項２の発明の組立式架台の作用に加え、二本の支持手段に載架された載架台を備えることにより、載架台の上に物品を載置することが可能となる。
【００１６】
【発明の実施の形態】
以下、本発明の第一実施形態である組立式架台について図１乃至図４に基づいて説明する。図１は本発明の第一実施形態である組立式架台の構成を示す斜視図であり、図２は連結状態を示す拡大分解斜視図であり、図３は連結部材の一例を示す斜視図であり、図４は載架台裏面の斜視図及び横架部に支持された載架台の状態を示す断面図である。
【００１７】
本発明の第一実施形態である組立式架台１は、図１及び図２に示すように複数の角筒状の支柱５と、互いに対向する支柱５の間を横方向に架け渡される角筒状の支持手段１８と、支柱５及び支持手段１８を連結する連結部材２と、二本の支持手段１８に支持された複数の載架台３とから構成されている。また、組立式架台１の上端に位置する連結部材２の第三孔部１１には、キャップ１４が取付けられている。尚、支柱５、支持手段１８、及び連結部材２は金属から、載架台３は木材から、キャップ１４は樹脂から形成されている。
【００１８】
さらに、詳しく説明すると、支柱５の上端には第一連結部６及び止め具７ａが、下端には第三連結部８及び止め具７ｂがそれぞれ形成されている。また、支柱５の長さによって、長尺の長支柱５ｌ及び短尺の短支柱５ｓの二種類がある。尚、支柱５の長さは、組立てる架台のサイズや形状に適したものが使用される。
【００１９】
支持手段１８は横架部４、及び横架部４の両端から垂下された二つの第二連結部９から構成された略コの字の形状を呈するものであり、横架部４の長さにより、長尺の第一支持手段１８ｌ、及び短尺の第二支持手段１８ｓの二種類がある。尚、横架部４の長さは、組立てる架台のサイズや形状に適したものが使用される。
【００２０】
連結部材２は、上下方向に連通した角状の第一孔部１０及び第三孔部１１を有する第一パイプ２ｆと、第一パイプ２ｆを中心として９０°の位置間隔に配設された上下方向に貫通した第二孔部１２を有する二つの第二パイプ２ｓ，２ｓとから構成されている。ここで、第一パイプ２ｆの先端と第二パイプ２ｓ，２ｓの先端との間は、横架部４の高さＩ（図４）と一致する。なお、連結部材２は、９０°の位置間隔で複数の第二孔部を有するものであり、上記のもの以外に図３に示すような連結部材２ａ，２ｂ，２ｃが使用される。
【００２１】
ここで、第一孔部１０及び第三孔部１１の開口断面積は、第一連結部６及び第三連結部８の外周断面積よりもわずかに大きく、第二孔部１２の開口断面積は、第二連結部９の外周断面積よりもわずかに大きい。さらに、止め具７ａ，７ｂの外周断面積は、第一孔部１０及び第三孔部１１の外周断面積と一致している。尚、連結部材２が第一実施形態における連結手段に相当する。
【００２２】
また、載架台３の裏面の両端付近（載架される側）には、図４に示すように外方向に折曲げられた爪部１３，１３がそれぞれ設けられている。ここで、爪部１３，１３の間の距離Ｌは、第二支持手段１８ｓの横架部４の長さよりもわずかに短い。さらに、折り曲げられた爪部１３と載架台３の裏面との間隔Ｎは、横架部４の高さＩよりもわずかに大きい。
【００２３】
次に、第一実施形態における組立式架台１の使用方法について説明する。まず、連結部材２の第一孔部１０に、支柱５の第一連結部６を下方から挿入する。別の言い方をすると立設された支柱５の上に、連結部材２を載せると、第一孔部１０に第一連結部６が挿入される。第一孔部１０の内面形状は、第一連結部６の外面形状に相似した形状を呈し、しかも断面積がわずかに大きいため第一孔部１０に第一連結部６を挿入すると緩やかに嵌合された状態となる。このとき支柱５に設けられた止め具７ａにより、第一連結部６は、第一孔部１０内に一定の深さだけ挿入されて止まる。
【００２４】
次に、一方の連結部材２の第二孔部１２に、第一支持手段１８ｌの第二連結部９を上方から挿入する。第一支持手段１８ｌは、略コの字の形状を呈するため、横架部４の底面と第二孔部１２が形成された第二パイプ２ｓの先端とが接し、第二連結部９が第二孔部１２に一定の深さだけ挿入され、第一パイプ２ｆの先端と、横架部４の上面とが同じ高さになって止まる。これにより、第一支持手段１８ｌが、支柱５に対して垂直に連結される。続いて、他方の第二孔部１２に第二支持手段１８ｓの第二連結部９を挿入する。これにより、二本の支持手段１８ｌ，１８ｓの間の相対角度が９０°で、かつ支柱５に対して垂直を保った状態で、支柱５と二本の支持手段１８ｌ，１８ｓとを連結部材２に連結することができる。
【００２５】
さらに、第一パイプ２ｆの先端の第三孔部１１に、上方から支柱５の第三連結部８を挿入すると、支柱５に設けられた止め具７ｂにより、第三連結部８は第三孔部１１内に一定の深さだけ挿入されて止まる。これにより、組立式架台１の高さを任意に設定することができる。例えば、図１に示したような階段状を呈するものや、横断面が凸状を呈するものなどが組立てられる。
【００２６】
上記のように、連結部材２、支持手段１８、及び支柱５の個数を適宜設定し、それぞれを上方または下方から挿入し、連結することにより、種々の形状の組立式架台１を簡易に構成することができる。これにより、横架部４に、プランターなどを吊り下げて支持することができる。
【００２７】
また、二本の横架部４に載架台３を支持させることにより、植木鉢などを組立式架台１に載置することができる。ここで、載架台３は、図４に示すように、載架台３の裏面に設けられた爪部１３により、横架部４に係止されている。具体的には、組立式架台１の長手方向に載架台３の長手方向を合わせるように載架台３を横架部４の上面の位置に保持し、次に載架台３を９０°回転させることにより、爪部１３と載架台３との間に横架部４が挿入される。これにより、載架台３の爪部１３が横架部４に係止される。
【００２８】
以上述べたように、第一実施形態の組立式架台１は、上下方向から各部材を挿入するだけで、連結部材２と支持手段１８、及び連結部材２と支柱５をそれぞれ連結をすることができる。組立てた状態では、上下方向に引っ張り力を加えないと抜けないため、通常の使用状態では、連結が外れることがない。また、組立式架台１にプランターや植木鉢などの物品を載架することにより、物品の重みが連結部材２に均等に加わるため、連結が外れることがさらに少なくなる。
【００２９】
また、組立式架台１の上端にある連結部材２の第三孔部１１にキャップ１４を取付けることにより、支柱５内への雨や雪などの侵入を防ぎ、支柱５や連結部材２の錆の発生を抑制し、組立式架台１の耐久性を向上させるとともに、見た目をきれいにすることができる。
【００３０】
次に、本発明の第二実施形態である組立式架台について図２、図５及び図６に基づいて説明する。図５は本発明の第二実施形態である組立式架台１５の構成を示す斜視図であり、図６は連結状態を示す拡大分解斜視図である。尚、本実施形態の組立式架台１５に関して、第一実施形態の組立式架台１と同一の構成については、同一番号を付し詳細な説明を省略する。
【００３１】
本発明の第二実施形態である組立式架台１５は、図５に示すように、複数の角筒状の支柱５と、互いに対向する支柱５の間を横方向に架け渡される角筒状の支持手段１８と、支柱５及び支持手段１８を連結する連結部材２と、二本の支持手段１８の相対角度を変えるための回動連結部材１６とから構成されている。
【００３２】
支持手段１８は、第一実施形態で示した長さの異なる第一支持手段１８ｌ、及び第二支持手段１８ｓに加え、互いに対向する回動連結部材１６を連結するために、横架部４の長さが三段階に異なる第三支持手段１８ａ、第四支持手段１８ｂ、及び第五支持手段１８ｃに分類される。
【００３３】
ここで、回動連結部材１６は、図６に示すように、上下方向に連通した角状の第一孔部１０及び第三孔部１１を有する第一パイプ１６ｆと、第一パイプ１６ｆを中心として９０°の位置間隔に配設され、上下方向に貫通した角状の第二孔部１２ａを有する二つの第二パイプ１６ｓａと、上下方向に貫通した円形の第二孔部１２ｂを有する第二パイプ１６ｓｂとから構成されている。ここで、円形の第二孔部１２ｂの内径は、第二連結部９よりわずかに大きい。尚、連結部材２及び回動連結部材１６が第二実施形態における連結手段に相当する。
【００３４】
次に、第二実施形態における組立式架台１５の使用方法について説明する。まず、連結部材２及び回動連結部材１６の第一孔部１０に、支柱５の第一連結部６を下方から挿入する。第一孔部１０の内面形状は、第一連結部６の外面形状に相似した形状を呈し、しかもわずかに大きいため第一孔部１０に第一連結部６を挿入すると緩やかに嵌合された状態となる。このとき支柱５に設けられた止め具７ａにより、第一連結部６は、第一孔部１０内に一定の深さだけ挿入されて止まる。
【００３５】
次に、連結部材２の角状の第二孔部１２に、支持手段１８の第二連結部９を上方から挿入する。続いて、回動連結部材１６の二つの第二孔部１２ａ，１２ａにも同様に支持手段１８の第二連結部９を上方からそれぞれ挿入し、支柱５と支持手段１８とを回動連結部材１６に連結する。
【００３６】
一方、回動連結部材１６の第二孔部１２ｂに、第三支持手段１８ａの第二連結部９を上方から挿入する。第二孔部１２ｂの内面形状は円形を呈するため、第二連結部９は、第二孔部１２ｂの内周と外接しながら回動することができる。このため、第三支持手段１８ａの横架部４は、第一支持手段１８ｌ、及び第二支持手段１８ｓの横架部４との相対角度を変化させて、連結することができる。同様にして、第四支持手段１８ｂ，及び第五支持手段１８ｃを、回動連結部材１６の第二孔部１２ｂに連結することができる。
【００３７】
上記のように、連結部材２、回動連結部材１６、支持手段１８、及び支柱５の個数を適宜設定し、それぞれを連結することにより、種々の形状を呈した組立式架台１５を構成することができる。
【００３８】
以上述べたように、第二実施形態の組立式架台１５は、第一実施形態で示した複数の組立式架台１をつなげて設置する場合に、横架部４の相対角度を変化させることができるため、設置場所に適した形状の組立式架台１５を組立てることができる。
【００３９】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４０】
第一実施形態及び第二実施形態では、角状の支持手段１８を示して説明したがこれに限定されるものでなく、多角形状及び、円柱状のものを用いてもよい。さらに、支持手段１８は、使用する部位に応じて様々な長さのものを用いて説明したが、これに限定されるものではなく、図７に示したような二つの第二連結部９の間に長さ調節部材１７を設けた伸縮自在の横架部４ａを有するものを利用してもよい。さらに、支柱５の下端に止め具７ｂが形成されたものを示したが、これに限定されるものではなく、止め具７ｂが形成されていない支柱５を用いてもよい。この場合、第三連結部８を有する支柱５の下端は、第一孔部１０に連結された支柱５の上端と接して止まる。これにより、部品点数が少なくなり、製造コストが低くなる。
【００４１】
また、組立式架台１，１５の主な構成として連結部材２、支柱５、回動連結部材１６、及び支持手段１８を金属から形成したものを示したが、これに限定されるものではなく、樹脂やその他の材質を組合わせて使用してもよい。樹脂により形成されるものは、重量の軽減がはかれるため、運搬がしやすくなる利点がある。さらに、載架台３を木材から形成したものを示したが、木材の腐食を防ぐため防腐剤の塗布などの加工を行ってもよい。
【００４２】
さらに、組立式架台１，１５を構成する個々の部材の色を幅広く取り揃えることにより、組立者は、色の組合わせを楽しみながら組立てることができる。そのため、設置する場所や雰囲気、或いは季節などに合わせた色の組立式架台１，１５を自由に組立てて、外見を美しくすることができる。
【００４３】
本実施形態の組立式架台１，１５は、組立てと同様に解体も容易に行える。そのため、運搬時にかさばることがなく、楽に運ぶことができる。さらに、使用しない場合には、解体することにより、大きな収納スペースを必要とせず、コンパクトに収納することができる。
【００４４】
また、架台の高さが高くなると、連結部材２で連結された対向する支柱５の上端の間の距離に対して、支柱５の下端の間の距離が広がり、略直方体の構造が不安定になることがある。そのため、対向する支柱５の下部を繋ぐ補強材（図示しない）を取付て、補強をしてもよい。これにより、略直方体の構造を安定して保つことができ、重い物品でも載架することができるようになる。
【００４５】
また、組立式架台１，１５として横架部４や載架台３により、プランターや植木鉢などを物品を載置する例を示したが、本発明の組立式架台１，１５はこれに限定されるものではなく、別の用途として、支柱５及び支持手段１８により形成された枠に、傘などの長尺のものを立掛けて保持するための架台として用いてもよい。
【００４６】
【発明の効果】
以上のように、請求項１の発明の組立式架台は、各部材を上下方向に挿入させるだけで、互いを連結することができ、組立式架台を容易に組立てることができる。さらに、上下方向に力を加えないと、連結を外すことができないため、通常の物品が載置された状態では、連結が外れることがない。このため、嵌合わせを緩やかにすることができ、女性や子供であっても容易に組立及び分解ができる。さらに、複数の組立式架台をつなげて併設する場合に、互いの相対角度を変化させることができるため、設置する場所に適した配置にすることができる。
【００４７】
請求項２の発明の組立式架台は、請求項１に記載の発明の組立式架台の効果に加え、支柱を任意の高さに設定できるため、階段状や凸状等の種々の形状に組立てることができる。
【００５０】
請求項３の発明の組立式架台は、請求項１または請求項２に記載の発明の組立式架台の効果に加え、載架台により、植木鉢などの様々な物品を載置することができる。
【図面の簡単な説明】
【図１】本発明の第一実施形態である組立式架台の構成を示す斜視図である。
【図２】本発明の第一実施形態である組立式架台の連結状態を示す拡大分解斜視図である。
【図３】本発明の第一実施形態である組立式架台の連結部材の一例を示す斜視図である。
【図４】本発明の第一実施形態である組立式架台の載架台裏面の斜視図及び横架部に支持された載架台の状態を示す断面図である。
【図５】本発明の第二実施形態である組立式架台の構成を示す斜視図である。
【図６】本発明の第二実施形態である組立式架台の連結状態を示す拡大分解斜視図である。
【図７】長さ調節部材を有する横架部の一例を示す斜視図である。
【符号の説明】
１，１５  組立式架台
２  連結部材（連結手段）
３  載架台
４，４ａ  横架部
５，５ｌ，５ｓ  支柱
６  第一連結部
８  第三連結部
９  第二連結部
１０  第一孔部
１１  第三孔部
１２，１２ａ，１２ｂ  第二孔部
１６  回動連結部材（連結手段）
１８  支持手段
【図１】
0003631947.tif 000002
【図２】
0003631947.tif 000003
【図３】
0003631947.tif 000004
【図４】
0003631947.tif 000005
【図５】
0003631947.tif 000006
【図６】
0003631947.tif 000007
【図７】
0003631947.tif 000008